(57)【要約】  ヘアケア装置（１）は、アタッチメント（取付具）（２）と、ヘアドライヤ（３）とを備えている。アタッチメント（２）は、ヘアドライヤ（３）の吹き出し口（５９）に取り付けて使用される。アタッチメント（２）は、本体部（１１）と、突起部（１２）とを備えている。本体部（１１）は、少なくとも一つの風の吹き出し口（２２ａおよび２２ｂ、並びに２３）を有する。突起部（１２）は、本体部（１１）から突出し、頭皮の施術箇所に接触する接触部（２１）を有する。本体部（１１）は、吹き出し口から吹き出される風の少なくとも一部を、施術箇所とは異なる箇所へ向けて吹き出すように構成されている。
2019030943.tif 000002
【特許請求の範囲】
【請求項１】
ヘアドライヤに取り付けられる取付具であって、
風の吹き出し口を有する本体部と、
前記本体部から突出し、かつ、施術箇所に接触する接触部を有する突起部と
を備え、
前記本体部は、前記吹き出し口から吹き出される風の少なくとも一部を、前記施術箇所とは異なる箇所へ向けて吹き出すように構成されている、取付具。
【請求項２】
前記施術箇所とは異なる箇所は、前記施術箇所の周囲、または前記施術箇所の近傍に位置する、請求項１に記載の取付具。
【請求項３】
前記本体部は、ヘアドライヤからの風が流入する流入口を有し、
前記接触部側から前記本体部を見たときに、前記流入口は、前記本体部を構成する部材によって覆い隠されている、請求項１または２に記載の取付具。
【請求項４】
複数個の前記吹き出し口が、前記突起部を間に挟んで両側にそれぞれ配置されている、請求項１から３の何れか１項に記載の取付具。
【請求項５】
前記本体部は、略筒状の風路を有しており、
前記風路の壁面は、風の方向に沿って湾曲している、
請求項１から４の何れか１項に記載の取付具。
【請求項６】
複数個の前記接触部が、列状に並んで配置されており、
前記本体部には、前記接触部の列の中央部から吹き出す風の量を低下させるための風量規制部が備えられている、
請求項１から５の何れか１項に記載の取付具。
【請求項７】
ヘアドライヤと、
請求項１から６の何れか１項に記載の取付具と
を備えているヘアケア装置。
【請求項８】
前記ヘアドライヤは、温風発生部を有しており、
前記取付具の前記本体部には、前記ヘアドライヤの送出口からの正面視で、前記温風発生部の配置位置と少なくとも部分的に重なる位置に、風受け部が配置されている、
請求項７に記載のヘアケア装置。
【請求項９】
前記ヘアドライヤは、帯電粒子発生装置を有しており、
前記帯電粒子発生装置は、前記ヘアドライヤの送出口からの正面視で、前記取付具の前記風受け部の配置位置とは異なる位置に配置されている、請求項８に記載のヘアケア装置。
【発明の詳細な説明】
【技術分野】
【０００１】
本開示は、ヘアドライヤに取り付けて使用される取付具、およびヘアケア装置に関する。
【背景技術】
【０００２】
ヘアドライヤは、一端の吸気口から吸入した空気を加温して他端の排気口から排出することにより、温風を放出する。使用者は、ヘアドライヤからの温風を毛髪に当てることにより、毛髪を乾燥させる。近年のヘアドライヤには、温風を吐出して髪の乾燥やセットを行うだけでなく、イオンを含んだ風を送風することにより毛髪および頭皮のケア機能を備えているものがある。このようなケア機能を有するヘアドライヤは、ヘアケア装置とも呼ばれる。【０００３】
また、頭皮のマッサージ効果を得るために、ヘアドライヤの吹き出し口に、突起を有する取付具を取り付けることも提案されている。例えば、特許文献１には、ヘアドライヤに取り付けて用いられるヘアドライヤ用吹出ノズルが提案されている。【０００４】
特許文献１に示すヘアドライヤ用吹出ノズルは、ヘアドライヤ９の送気口９２に着脱可能に接続するノズル流入口１１からノズル吹出口１２ａに至るノズル流路が形成されたノズル本体１０と、複数本のピン体３とを備えている。そして、ピン体３は、先端が頭皮に接触可能になるようにノズル吹出口からの吹き出し方向に突出して設けられている。
【先行技術文献】
【特許文献】
【０００５】
【特許文献１】実用新案登録第３１８４９５５号公報
【発明の概要】
【発明が解決しようとする課題】
【０００６】
頭皮マッサージの目的でヘアドライヤを使用する場合には、温風の吹き出し口が頭皮の近くに位置する。例えば、特許文献１に開示されたヘアドライヤは、ピン体３の先端を頭皮に接触させた状態で、イオン風ノズル口１５から温風を吹き出す。そのため、ヘアドライヤのユーザは、ヘアドライヤから吹き出される風を非常に熱く感じて使用時の快適性が低下する。また、頭皮に対して近い位置から温度の高い風を当てることは、頭皮に負担をかける可能性がある。【０００７】
そこで、本発明の一局面では、頭皮に近い距離でヘアドライヤを使用する場合の使用性をより向上させることのできるヘアドライヤの取付具およびヘアケア装置を提供する。
【課題を解決するための手段】
【０００８】
本発明の一局面にかかる取付具は、ヘアドライヤに取り付けられる。この取付具は、風の吹き出し口を有する本体部と、前記本体部から突出し、かつ、施術箇所に接触する接触部を有する突起部とを備えている。そして、前記本体部は、前記吹き出し口から吹き出される風の少なくとも一部を、前記施術箇所とは異なる箇所へ向けて吹き出すように構成されている。【０００９】
また、本発明のもう一つの局面にかかるヘアケア装置は、ヘアドライヤと、本発明の一局面にかかる取付具とを備えている。
【発明の効果】
【００１０】
本発明の一局面にかかる取付具をヘアドライヤに取り付けることで、頭皮に近い距離でヘアドライヤを使用する場合の使用性をより向上させることができる。また、本発明の一局面にかかるヘアケア装置によれば、使用時の快適性を向上させることができる。
【図面の簡単な説明】
【００１１】
【図１】本発明の一実施形態にかかるヘアケア装置の外観構成を示す側面図である。
【図２】図１に示すヘアケア装置の内部構成を示す断面図である。
【図３】図１に示すヘアケア装置を構成するアタッチメントの外観構成を示す斜視図である。
【図４】図１に示すヘアケア装置を構成するヘアドライヤの外観構成を示す斜視図である。
【図５】図３に示すアタッチメントの各構成部材を示す分解斜視図である。
【図６】図３に示すアタッチメントを施術箇所側から見た正面図である。
【図７】図３に示すアタッチメントを、ヘアドライヤからの風の流入口側から見た正面図である。
【図８】図２に示すアタッチメントからカバー部材を取り外した状態を示す斜視図である。
【図９】図８に示すアタッチメントを、カバー部材取付位置側から見た側面図である。
【図１０】図３に示すアタッチメント内の風の流れを示す断面模式図である。
【図１１】図３に示すアタッチメントから先端部材を取り外した状態を示す斜視図である。
【図１２】図１１に示すアタッチメントを、ヘアドライヤからの風の流入口側から見た正面図である。
【図１３】本発明の第１の実施形態にかかるヘアケア装置における温風およびイオンの流れを示す模式図である。
【図１４】本発明の第２の実施形態にかかるヘアケア装置における温風の流れを示す模式図である。
【図１５】本発明の第３の実施形態にかかるヘアケア装置における温風の流れを示す模式図である。
【発明を実施するための形態】
【００１２】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１３】
＜第１の実施形態＞
本実施形態では、本発明の取付具の一例であるアタッチメントが取り付けられたヘアドライヤ（毛髪乾燥機）を例に挙げて説明する。なお、アタッチメントが取り付けられたヘアドライヤは、毛髪を乾燥させるという用途だけではなく、毛髪および頭皮のマッサージなどの用途にも用いられる。つまり、アタッチメントが取り付けられたヘアドライヤは、毛髪または頭皮をケアするという機能も有する。したがって、アタッチメントが取り付けられたヘアドライヤは、ヘアケア装置または頭皮ケア装置とも呼ばれる。
【００１４】
（ヘアケア装置およびヘアドライヤの構成）
先ず、本実施の形態にかかるヘアケア装置１の概略構成について、図１を用いて説明する。図１に示すように、ヘアケア装置１は、主として、アタッチメント（取付具）２と、ヘアドライヤ３とで構成されている。アタッチメント２は、ヘアドライヤ３の風の吹き出し口（送出口）５９（図４参照）に取り付けて使用される。
【００１５】
アタッチメント２は、主として、本体部１１と、本体部１１から突出する突起部１２とで構成されている。図３に示すように、突起部１２は、複数（本実施形態では、５本）の突起を有しており、人の手で頭皮マッサージを行うときの手指の形状を模したような形状となっている。突起部１２の先端には、ヘアケア装置１の使用時（施術時）にユーザの頭皮または毛髪（施術箇所）と接触する接触部２１が設けられている。接触部２１は、マッチ棒の先端のように、他の部分と比較して、やや膨らんだ球形状となっている。これにより、施術時の頭皮に対する接触部の接触面積を拡張することができる。そして、突起部１２が頭皮へ接触したときの頭皮の感触をより良好なものにすることができる。アタッチメント２のより具体的な構成については、後述する。
【００１６】
ヘアドライヤ３は、略円柱形状の外形を有する。図４には、ヘアドライヤ３単体での外観構成を示す。ヘアドライヤ３の外形は、主として、プラスチックなどで形成された筐体で構成されている。
【００１７】
ヘアドライヤ３には、略円柱形状の長手方向の各端部に、空気の吸い込み口５７と、風の吹き出し口５９とが設けられている。ここでは、説明の便宜上、吸い込み口５７が設けられている側をヘアドライヤ３の下端部と呼び、吹き出し口５９が設けられている側をヘアドライヤ３の上端部と呼ぶ。
【００１８】
筐体の側面には、操作部５８が設けられている。ヘアドライヤ３の使用時に、ユーザが操作部５８を操作することで、ヘアドライヤ３が動作を開始したり停止したりする。また、操作部５８が操作されることで、吹き出し口５９から吹き出す風の種類（温風／冷風）および風量などが調節される。
【００１９】
ヘアドライヤ３の下端部（吸い込み口５７側）には、電源コード６０が設けられている。
【００２０】
図２には、ヘアケア装置１の内部構成を示す。ヘアドライヤ３の内部には、温風発生部５１、イオン供給部（帯電粒子発生装置）５２などが備えられている。
【００２１】
温風発生部５１は、主な構成部材として、ファン５４、ヒータ５３、および、ファン５４を駆動するモータ５６を有している。ヘアドライヤ３の稼働時、モータ５６の駆動力によってファン５４が回転する。これにより、ヘアドライヤ３の内部で、吸い込み口５７から吹き出し口５９へと向かう空気の流れが形成される。
【００２２】
また、ヘアドライヤ３の稼働時、ヒータ５３が稼働することで、ヘアドライヤ３の内部に取り込まれた空気が加熱される。これにより、吹き出し口５９からは、温風が送出される。なお、ヘアドライヤ３の稼働時に、ヒータ５３の運転を停止させることもできる。この場合には、吹き出し口５９からは、冷風が送出される。
【００２３】
イオン供給部５２は、円筒形状の筐体の内壁に取り付けられている。イオン供給部５２は、吹き出し口５９側の近傍に配置されている。
【００２４】
イオン供給部５２は、正（＋）イオン（例えば、Ｈ＋（Ｈ２Ｏ）ｍ（ｍは任意の自然数））および負（−）イオン（例えば、Ｏ２−（Ｈ２Ｏ）ｎ（ｎは任意の自然数））の少なくとも何れかを発生する。本実施形態では、イオン供給部５２は、正イオンおよび負イオンの両方を放出する。ヘアドライヤ３にイオン供給部５２が備えられていることで、ヘアドライヤ３から吹き出す風にイオンを含有させることができる。ヘアドライヤ３から吹き出す風にイオンが含まれていることで、施術される毛髪および頭皮に水分を補給したり、毛髪内のケラチン変性を抑えたりすることができる。これにより、毛髪および頭皮に対するトリートメント効果をより向上させることができる。
【００２５】
また、Ｈ＋（Ｈ２Ｏ）ｍおよびＯ２−（Ｈ２Ｏ）ｎは、空気中の浮遊細菌の表面に付着し、化学反応して活性種であるＨ２Ｏ２または・ＯＨ（水酸基ラジカル）を生成する。このＨ２Ｏ２または・ＯＨは、極めて強力な活性を示すため、空気中の浮遊細菌であるカビや雑菌を取り囲んで不活化、除去することができる。そのため、ヘアドライヤ３から吹き出す風をより清浄な状態にすることができる。イオン供給部５２としては、例えば、特許文献２（特開２０１３−１０２８２６号公報）に開示されたイオン発生器などが用いられる。
【００２６】
吹き出し口５９により近い側のイオン供給部５２の端部には、イオン供給口５５が設けられている。これにより、イオン供給部５２で生成されるイオン（正イオンおよび負イオン）を吹き出し口５９から吹き出すことができる。
【００２７】
なお、本発明の別の態様では、負イオンのみを発生させるイオン供給部を備えるヘアドライヤを採用することもできる。この場合にも、本実施形態と同様の構成が適用できる。
【００２８】
なお、本発明の一態様のヘアドライヤに備えられる帯電粒子発生装置は、イオン供給部に限定されるものではなく、放電により、イオン、電子、オゾン、ラジカル、活性種などを発生させる放電装置であればよい。また、帯電粒子発生装置がイオンを発生させる場合は、正イオンと負イオンの両方を発生させる構成であっても、正イオンあるいは負イオンの何れか一方を発生させる構成であってもよい。
【００２９】
以上の構成により、ヘアドライヤ３の吹き出し口５９から風を吹き出すことができる。ヘアドライヤ３の吹き出し口５９を毛髪の近くに置くことで、吹き出し口５９からの風を毛髪へ当てることができる。これにより、毛髪を乾燥させることができる。
【００３０】
また、ヘアドライヤ３には、イオン供給部５２が備えられているため、吹き出し口５９から吹き出される空気の中にイオンを含ませることができる。これにより、毛髪および頭皮をトリートメントする効果が得られる。
【００３１】
本実施形態では、上記の構成を有するヘアドライヤ３の吹き出し口５９にアタッチメント２が取り付けられる。後述するように、アタッチメント２の本体部１１の内部には、空間が形成されている。この空間が、ヘアドライヤ３の吹き出し口５９から吹き出された風を、ユーザの施術箇所およびその近傍へ導く風路となっている。
【００３２】
つまり、本実施形態にかかるヘアケア装置１によれば、ヘアドライヤ３から供給される風を、アタッチメント２内部の風路を通過させて、主としてユーザの施術箇所へ送出することができる。上述したように、アタッチメント２には、接触部２１を有する突起部１２が設けられている。そのため、ヘアケア装置１を使用するユーザは、ヘアドライヤ３から供給されるイオンを含む風を、毛髪または頭皮に当てながら、突起部１２の先端部（すなわち、接触部２１）を頭皮または毛髪に接触させて施術箇所のマッサージを行うことができる。
【００３３】
なお、ヘアドライヤ３の吹き出し口５９には、アタッチメント２以外の形状のアタッチメント（例えば、ブラシ形状のアタッチメント）を取り付けることもできる。この場合には、毛髪を乾燥させつつ、髪をブローしたり、髪のスタイリングをしたりすることもできる。
【００３４】
（アタッチメントの構成）
続いて、アタッチメント２のより具体的な構成について、図３および図５から図７を参照しながら説明する。
【００３５】
図３は、アタッチメント２の外観構成を示す。図５には、アタッチメント２の各構成部材を分解した状態で示す。図６は、アタッチメント２を、突起部１２の先端（すなわち、接触部２１）側から見た状態を示す。図７は、アタッチメント２を、風の流入口１８側から見た状態を示す。
【００３６】
上述したように、アタッチメント２は、主として、本体部１１と、本体部１１から突出する突起部１２とで構成されている。図３に示すように、本体部１１は、概略的には円錐台の形状を有している。そして、略円錐台形状の各底面に、流入口１８と、第１の吹き出し口である吹き出し口２２ａおよび２２ｂとがそれぞれ設けられている。具体的には、円錐台の面積が小さい方の底面に、ヘアドライヤ３からの風が流入する流入口１８が設けられており、円錐台の面積が大きい方の底面に、毛髪または頭皮の施術箇所へ向けて風を吹き出す吹き出し口２２ａおよび２２ｂが形成されている。
【００３７】
言い換えると、本体部１１は、流入口１８側の端部で、ヘアドライヤ３の吹き出し口５９と接続されている。図２に示すように、本体部１１の流入口１８側の端部は、ヘアドライヤ３の吹き出し口５９の周囲を覆うようにして、ヘアドライヤ３の上端部に取り付けられている。
【００３８】
本明細書では、説明の便宜上、本体部１１の流入口１８側の端部を、本体部１１またはアタッチメント２の下端部または下側と呼び、本体部１１の吹き出し口２２ａおよび２２ｂ側の端部を、本体部１１またはアタッチメント２の上端部または上側と呼ぶ。また、本体部１１の各端部をヘアドライヤ３の風の流れの方向で規定する場合には、本体部１１の流入口１８側の端部を上流側と呼び、本体部１１の吹き出し口２２ａおよび２２ｂ側の端部を下流側と呼ぶ。
【００３９】
また、本明細書では、アタッチメント２の各構成要素の形状および位置関係などを説明するにあたって、便宜上、アタッチメント２を図３に示すようなＸ、Ｙ、Ｚという三方向の座標軸で規定する。Ｘ方向は、突起部１２の各接触部２１のうち、両側の端部に位置する接触部２１ａおよび接触部２１ｅ同士を結ぶ線に沿った方向である。Ｙ方向は、吹き出し口２２ａおよび２２ｂが形成されている面上で、上記Ｘ方向と直行する方向である。Ｚ方向は、吹き出し口２２ａおよび２２ｂが形成されている面に直交する方向である。
【００４０】
以上より、吹き出し口２２ａおよび２２ｂは、本体部１１の上端側の面（この面を、便宜上、本体部１１の前面と呼ぶ）に設けられているとも言える。第１の吹き出し口である吹き出し口２２ａおよび２２ｂからは、ヘアドライヤ３から吹き出された風の大部分（例えば、ヘアドライヤ３からの風量の５０％以上９０％以下の風量）が吹き出される。つまり、吹き出し口２２ａおよび２２ｂは、ヘアケア装置１における主たる風の吹き出し口である。そして、ヘアケア装置１の使用時、吹き出し口２２ａおよび２２ｂからユーザの頭皮または毛髪の施術箇所へ向けて、直接的に風が吹き出される。
【００４１】
そのため、吹き出し口２２ａおよび２２ｂは、本体部１１の前面の突起部形成位置１５ｄ（図５参照）を取り囲むように配置されている（図３参照）。
【００４２】
なお、ここで、施術箇所とは、ユーザの頭皮または毛髪の一部分であって、ヘアケア装置１を用い重点的にケアされる場所のことを意味する。例えば、ヘアケア装置１の使用時に、アタッチメント２の突起部１２の先端の各接触部２１が接触する箇所が施術箇所に相当する。なお、ヘアケア装置１の使用時、ユーザは、頭皮または毛髪に対してヘアケア装置１を移動させながらケア（施術）を行う。したがって、施術箇所は順次移動する。
【００４３】
また、ここで、施術箇所とは異なる箇所とは、上記の施術箇所以外のあらゆる場所のことを意味する。そして、施術箇所の周囲または施術箇所の近傍とは、施術箇所とは異なる箇所に含まれるが、施術箇所から比較的近距離（例えば、半径５０ｃｍ以内）にある場所のことを意味する。例えば、ヘアケア装置１のユーザの頭部全体は、施術箇所の周囲または施術箇所の近傍に含まれる。
【００４４】
また、本体部１１には、吹き出し口２２ａおよび２２ｂとは別の風の吹き出し口として、周縁吹き出し口２３（第２の吹き出し口）が設けられている。周縁吹き出し口２３は、本体部１１の外周面に沿って設けられている。本実施形態では、本体部１１の外周の略半周に亘って、周縁吹き出し口２３が形成されている。また、周縁吹き出し口２３は、吹き出し口２２ａおよび２２ｂよりも本体部１１の下端側に位置している。
【００４５】
この構成により、ヘアケア装置１の使用時、周縁吹き出し口２３からの風は、施術箇所とは異なる箇所へ向けて吹き出される。具体的には、周縁吹き出し口２３から吹き出される風は、施術箇所の周囲、または施術箇所の近傍に流れるように構成されている。
【００４６】
このように、本実施形態では、ヘアドライヤ３から吹き出された風は、本体部１１を通過することによって、その少なくとも一部が施術箇所とは異なる箇所へ向けて吹き出される。
【００４７】
アタッチメント２は、複数の構成部材を組み立てて形成されている。以下では、図５を参照しながら、アタッチメント２を構成する各構成部材について説明する。
【００４８】
本実施形態では、アタッチメント２は、筒状部材１３、風路形成部材１４、先端部材１５、およびカバー部材１６に分解される。これらの各部材のうち、筒状部材１３、風路形成部材１４、先端部材１５の一部、およびカバー部材１６で、本体部１１が形成されている。また、先端部材１５の一部で突起部１２が形成されている。本実施形態では、各構成部材は、金属と比較して熱伝導率の低い樹脂材料（例えば、プラスチックなど）で形成されている。但し、各構成部材の材料は特に限定されない。
【００４９】
筒状部材１３は、円筒形状（より具体的には、ベルマウス形状）の本体部１１の外形を主に形成する。筒状部材１３は、外周面３１、内周面３２、凹み部３３などを有する。内周面３２は、ヘアドライヤ３からの風が通過する風路を形成する。
【００５０】
凹み部３３は、外周面３１よりも一段内側に凹んだ位置に存在する。凹み部３３は、後述するカバー部材１６によって覆われる。また、凹み部３３には、外周面３１との境界付近に開口部３３ａが形成されている。これにより、内周面３２の内側を通る風の一部が、開口部３３ａを通って凹み部３３側へ流れる。
【００５１】
風路形成部材１４は、筒状部材１３の内部（内周面３２）に嵌め込まれる。風路形成部材１４は、湾曲板部３４（風受け部）、風量規制部３５、および差し込み穴３６などを有する。湾曲板部３４は、筒状部材１３の内周面３２によって形成される風路を、２つに分割する。
【００５２】
具体的には、湾曲板部３４は、ヘアドライヤ３からの風を、突起部１２周辺の吹き出し口２２ａおよび２２ｂへと導く第１の風路Ｐ１と、周縁吹き出し口２３へと導く第２の風路Ｐ２とに、区切る（図２、図７、図１０など参照）。なお、湾曲板部３４は、ヘアドライヤ３から吹き出された風の一部（特に、温度ピーク側に位置する風）が吹き出し口２２ａおよび２２ｂへと流れることを遮断する遮断部材としての役割も果たす。
【００５３】
風量規制部３５は、概略的にＸ方向に沿って一列に並んで配置されている接触部２１ａ〜２１ｅの中央部（接触部２１ｃの配置位置）に対応する位置に配置されている。これにより、本体部１１内の第１の風路Ｐ１を通って吹き出し口２２ｂから吹き出す風のうち、中央部の接触部２１ｃ周辺から吹き出す風の量を低下させることができる。この構成により、ユーザの施術箇所に最短距離で到達する風の量が減少するため、温風吹出時のユーザの体感温度を下げることができる。
【００５４】
また、風量規制部３５が設けられていることで、本体部１１内の第１の風路Ｐ１を通って吹き出し口２２ｂから吹き出す風を、風量規制部３５の両側に分割させることができる（図１１参照）。
【００５５】
差し込み穴３６は、湾曲板部３４の両端部にそれぞれ設けられており、先端部材１５側へ突出するように延びている。差し込み穴３６には、先端部材１５の差し込み部１５ｃが差し込まれる。これにより、先端部材１５は固定され、本体部１１の一部を構成する。
【００５６】
先端部材１５は、本体部１１の前面を構成する。この前面には、第１の壁部１５ａ、第２の壁部１５ｂ、吹き出し口２２ａ、および吹き出し口２２ｂなどが設けられている。また、先端部材１５には、前面から突出するように突起部１２が設けられている。突起部１２の各突起は、前面の突起部形成位置１５ｄから略Ｚ方向に延びている。突起部１２の各突起の先端に接触部２１がそれぞれ設けられている。
【００５７】
図６を参照しながら、先端部材１５の前面の構成について説明する。ここでは、説明の便宜上、図６に示す各矢印ＸおよびＹの方向で、各校要素の位置関係を説明する。但し、ヘアケア装置１の使用時には必ずしもこの位置関係で使用されるとは限らない。
【００５８】
先端部材１５の前面は、略円形の形状を有している。突起部１２の各接触部２１は、前面をＸ方向に横断するように、一列に並んで配置されている。なお、本実施形態では、突起部１２の各接触部２１は、直線状に配列するのではなく、列の中間に位置する３つの接触部２１ｂ・２１ｃ・２１ｄが、矢印Ｙ方向（図中、上方向）にややずれて配置されている。すなわち、各接触部２１は、全体で弧を描くように配列されている。
【００５９】
第１の壁部１５ａおよび第２の壁部１５ｂは、中央に位置する接触部２１ｃを間に挟んでＹ方向の両側にそれぞれ位置している。すなわち、図６中では、接触部２１ｃの上側に、第１の壁部１５ａが位置し、接触部２１ｃの下側に、第２の壁部１５ｂが位置する。
【００６０】
図７には、アタッチメント２を流入口１８側から見た状態を示す。図７に示すように、流入口１８から流入した風は、風路形成部材１４の湾曲板部３４によって、２つの流路（すなわち、第１の風路Ｐ１と第２の風路Ｐ２）に分割されて流れる。図７では、第１の風路Ｐ１および第２の風路Ｐ２は、上下に分割されている。これら２つの流路のうち、第１の風路Ｐ１（図７では上側の風路）の正面には、先端部材１５の第１の壁部１５ａおよび第２の壁部１５ｂが位置する。
【００６１】
これは、第１の壁部１５ａおよび第２の壁部１５ｂが、ヘアドライヤ３の吹き出し口５９からアタッチメント２の第１の風路Ｐ１へ吹き込まれた風の障壁となることを意味する。つまり、第１の壁部１５ａおよび第２の壁部１５ｂが設けられていることで、ヘアドライヤ３の吹き出し口５９からアタッチメント２の第１の風路Ｐ１へ吹き込んだ風が、施術箇所へ直接吹き出されることを抑えることができる。これにより、ヘアケア装置１の使用時にユーザの体感温度を下げることができる。
【００６２】
なお、図７に示す状態で、本体部１１の内部の下方部分には、第２の風路Ｐ２が形成されている。図７に示すように、流入口１８側から見て、本体部１１の前方側（風の流れの下流側）の第２の風路Ｐ２に相当する位置には、風路形成部材１４の湾曲板部３４が配置されている。これは、流入口１８から本体部１１の内部の下方部分に流入した風の前方への進行が湾曲板部３４によって遮断されることを意味する。つまり、第２の風路Ｐ２を流れる風は、湾曲板部３４によって前方への進行が妨害され、筒状部材１３の下方側に形成された開口部３３ａ側へ流れる。
【００６３】
また、先端部材１５の前面には、第１の壁部１５ａおよび第２の壁部１５ｂが形成されている箇所以外の箇所に、吹き出し口２２ａおよび吹き出し口２２ｂが形成されている。図６に示すように、吹き出し口２２ａおよび吹き出し口２２ｂは、突起部１２の形成位置を間に挟んで、Ｙ方向（図６では上下方向）にそれぞれ配置されている。
【００６４】
具体的には、図６に示す状態では、吹き出し口２２ａは、突起部形成位置の上側に位置する。また、吹き出し口２２ａは、Ｘ方向の中央部に形成されている第１の壁部１５ａの両側にそれぞれ形成されている。また、図６に示す状態では、吹き出し口２２ｂは、突起部形成位置の下側に位置する。吹き出し口２２ｂは、図６に示す状態で、先端部材１５の前面の下方の大部分を占めるように形成されている。また、施術箇所（または接触部２１）からの正面視で、吹き出し口２２ｂの背面側には、風路形成部材１４の湾曲板部３４が位置する（図６参照）。
【００６５】
以上のように、本実施形態では、アタッチメント２を施術箇所（または接触部２１）から見た場合に、ヘアドライヤ３からの風が流入する流入口１８が、本体部を構成する部材（具体的には、第１の壁部１５ａ、第２の壁部１５ｂ、および湾曲板部３４など）によって覆い隠された状態となっている（図６参照）。また、流入口１８側からアタッチメント２の本体部１１の内部を見た場合に、本体部１１を構成する部材（具体的には、第１の壁部１５ａ、第２の壁部１５ｂ、および湾曲板部３４など）によって前方が遮蔽された状態となっている（図７参照）。
【００６６】
カバー部材１６は、略板状の部材が円弧を描くように湾曲した形状を有する。カバー部材１６は、外周面３７と、内周面３８とを有する。カバー部材１６は、筒状部材１３の外周の一部（具体的には、凹み部３３）を覆うように、筒状部材１３に取り付けられる。本実施形態では、先端部材１５において第１の壁部１５ａが形成されている側の筒状部材１３の外周部に、カバー部材１６が取り付けられている。
【００６７】
カバー部材１６が筒状部材１３に取り付けられた状態で、筒状部材１３の凹み部３３とカバー部材１６の内周面３８との間に空間が形成される。この空間は、開口部３３ａから周縁吹き出し口２３へと通じており、第２の風路Ｐ２の一部を構成する。
【００６８】
（アタッチメント内の風の流れについて）
続いて、アタッチメント２内の風の流れについて、図２および図８から図１２を参照しながら説明する。図８および図９には、カバー部材１６を取り外した状態のアタッチメント２を図示し、そこでの風の流れを示している。図１０には、アタッチメント２の断面構成を図示し、そこでの風の流れを示している。図１１および図１２には、先端部材１５を取り外した状態のアタッチメント２を図示し、本体部１１内の風の流れを示している。各図では、第１の風路Ｐ１内の風Ｗ１を実線の矢印で示し、第２の風路Ｐ２内の風Ｗ２を破線の矢印で示している。
【００６９】
図２に示すように、本体部１１の内部は、空洞状になっている。本体部１１内のこの空間には、ヘアドライヤ３からの風を、ユーザの施術箇所およびその近傍へ導く風路が形成されている。上述したように、本実施形態では、本体部１１の内部には、大きく分けて２つの風路（第１の風路Ｐ１および第２の風路Ｐ２）が存在する。
【００７０】
第１の風路Ｐ１は、ヘアドライヤ３からの風を吹き出し口２２ａおよび２２ｂへと導く風路である。言い換えると、第１の風路Ｐ１は、ヘアドライヤ３の吹き出し口５９から吹き出される風を、その吹き出し方向に概ね沿って施術箇所へ導く風路と言える。
【００７１】
第２の風路Ｐ２は、ヘアドライヤ３からの風を周縁吹き出し口２３へと導く風路である。言い換えると、第２の風路Ｐ２は、ヘアドライヤ３からの風を施術箇所以外の箇所へ導く風路と言える。
【００７２】
以下に、第１の風路Ｐ１の風の流れを上流側から順に説明する。流入口１８からアタッチメント２の本体部１１の内部へ流入した風の一部は、図１２に示すように、風路形成部材１４の配置位置とは反対側（図１２では上側）へ流れ込む。この風が、第１の風路Ｐ１を流れる風Ｗ１となる。
【００７３】
図１０に示すように、風Ｗ１は、筒状部材１３の内部を先端部材１５側へ向かって流れる。筒状部材１３の内周面３２は、吹き出し口２２ａおよび２２ｂが形成された先端部材１５へ向かって内径が徐々に増加するベルマウス形状を有している。つまり、風Ｗ１が通る第１の風路Ｐ１は、下流側へ向かって拡張される。
【００７４】
このとき、図１１に示すように、風Ｗ１は、吹き出し口２２ａ側へ向かうとともに、吹き出し口２２ｂ側へ向かう。吹き出し口２２ｂ側へ向かう風の大部分は、湾曲板部３４を沿って流れる。湾曲板部３４を沿って流れる風は、風量規制部３５によってＷ１ａとＷ１ｂとに分岐する。これにより、吹き出し口２２ｂのＸ方向の中央部から吹き出される風の量を低減させることができる。
【００７５】
なお、第１の風路Ｐ１の壁面を構成する筒状部材１３の内周面３２は、風の流れの方向に沿って湾曲している。また、第１の風路Ｐ１の壁面の一部を構成する風路形成部材１４の湾曲板部３４も、その表面が、風の流れの方向に沿って滑らかな曲面を有している。これにより、第１の風路Ｐ１を通過する風量の損失を減少させることができる。
【００７６】
以下に、第２の風路Ｐ２の風の流れを上流側から順に説明する。
【００７７】
流入口１８からアタッチメント２の本体部１１の内部へ流入した風の一部は、風路形成部材１４が配置されている側へ流れ込む。この風が、第２の風路Ｐ２を流れる風Ｗ２となる（図１０参照）。
【００７８】
図１０に示すように、風Ｗ２は、湾曲板部３４によって先端部材１５側への進行が妨げられる。これにより、風Ｗ２は、筒状部材１３の凹み部３３に形成された開口部３３ａの方へ流れ込む（図８および図９参照）。開口部３３ａへ流れ込んだ風Ｗ２は、筒状部材１３の凹み部３３とカバー部材１６の内周面３８との間に形成された空間を通り、周縁吹き出し口２３から吹き出す（図１０参照）。
【００７９】
以上のように、本実施形態にかかるアタッチメント２では、ヘアドライヤ３の吹き出し口５９から流入口１８へ流入する風の一部を、突起部１２の周囲に設けられた吹き出し口２２ａおよび２２ｂから吹き出すとともに、流入口１８へ流入する風の他の一部を周縁吹き出し口２３から吹き出すことができる。吹き出し口２２ａおよび２２ｂから吹き出された風Ｗ１は、ユーザの施術箇所へ向けて吹き出される一方、周縁吹き出し口２３から吹き出された風Ｗ２は、施術箇所とは異なる場所（例えば、ユーザの頭部の周囲）へ吹き出される。
【００８０】
このように、本実施形態にかかるアタッチメント２によれば、ヘアドライヤ３の吹き出し口５９から流入口１８へ流入する風の一部を施術箇所へ向けて吹き出す。そのため、流入口１８へ流入する風の全量を施術箇所へ吹き出す場合と比較して、施術箇所へ吹き出す風の熱量を低くすることができる。そのため、ヘアケア装置１の使用時に、アタッチメント２の接触部２１を頭皮など接触させてマッサージなどする場合に、ユーザが風を熱く感じることを抑えることができる。そのため、使用時の快適性が向上する。
【００８１】
また、本実施形態にかかるアタッチメント２では、施術箇所へ向けられる先端部材１５の前面の略中央部に、第１の壁部１５ａおよび第２の壁部１５ｂが設けられている。第１の壁部１５ａおよび第２の壁部１５ｂが設けられていることで、風が直進することが抑制される。これにより、アタッチメント２の第１の風路Ｐ１へ吹き込んだ風が、施術箇所へ直接吹き出されることを抑えることができる。そのため、施術箇所へ吹き出される風の温度をより下げることができ、使用時の快適性がさらに向上する。また、第１の風路Ｐ１は、吹き出し口２２ａおよび２２ｂへ向かうにしたがって、拡張されている。この構成によって、施術箇所へ吹き出される風の温度をさらに下げることができる。
【００８２】
また、本実施形態にかかるアタッチメント２では、第２の風路Ｐ２を通過する風Ｗ２を周縁吹き出し口２３から吹き出す。周縁吹き出し口２３は、先端部材１５の前面と略平行な吹き出し面を有している。しかし、周縁吹き出し口２３からの風の吹き出し方向は、吹き出し口２２ａおよび２２ｂの吹き出し方向からやや外側へずれている。これにより、ヘアドライヤ３からの風の一部を、施術箇所と異なる場所（例えば、施術箇所の近傍）へ向けて吹き出すことができる。施術箇所の近傍には、ユーザの頭部全体が含まれる。したがって、ヘアケア装置１を用いて施術箇所のケア（マッサージなど）を行いつつ、頭部および毛髪全体にもイオンを含む微風を当てることができる。
【００８３】
（ヘアドライヤに対するアタッチメントの取付け位置について）
続いて、ヘアドライヤ３にアタッチメント２を取り付けた状態での、ヘアドライヤ３の内部構造とアタッチメント２の各構成要素との位置関係について、図１３を参照しながら説明する。図１３には、ヘアドライヤ３にアタッチメント２を取り付けた状態でのアタッチメント２の断面構成と、ヘアドライヤ３内部の概略構成を示す。
【００８４】
図１３は、図６に示すアタッチメント２を、Ｘ方向の中央部でＹ方向に切断したときの断面図である。図１３では、説明の便宜上、図中の右へ向かう方向をＹ１方向と称し、図中左側へ向かう方向をＹ２方向と称する。
【００８５】
上述したように、アタッチメント２の本体部１１の内部は、第１の風路Ｐ１と第２の風路Ｐ２とに区画されている。図１３では、Ｙ１側に第１の風路Ｐ１が位置し、Ｙ２側に第２の風路Ｐ２が位置する。また、第２の風路Ｐ２の周縁吹き出し口２３は、Ｙ１側の端部に位置する。
【００８６】
また、ヘアドライヤ３の内部には、上述したように、温風発生部５１、イオン供給部５２などが備えられている。図１３に示すように、温風発生部５１は、ヘアドライヤ３内部のＹ２側に寄って配置されている。また、イオン供給部５２は、ヘアドライヤ３内部のＹ１側の側壁に取り付けられている。
【００８７】
温風発生部５１からは、吹き出し口５９の吹き出し面へ向けて略垂直に温風が吹き出される。なお、温風発生部５１から吹き出される温風の温度は、その配置位置に沿って、図１３に実線で示すような分布を示す。つまり、温風発生部５１の配置位置の略中央部に、温風の温度ピークがある。
【００８８】
また、イオン供給部５２は、イオン供給口５５から吹き出し口５９へ向けてイオンを放出する。なお、イオン供給口５５から放出されるイオンの濃度は、イオン供給口５５の配置位置に沿って、図１３に破線で示すような分布を示す。つまり、イオン供給口５５に対応する位置に、イオン濃度のピークがある。
【００８９】
本実施形態のヘアケア装置１では、図１３に示すように、ヘアドライヤ３のイオン供給部５２（より具体的には、イオン供給口５５）と、アタッチメント２の第１の風路Ｐ１とが、対応するように配置されている。すなわち、イオン供給部５２と第１の風路Ｐ１とが、Ｙ１側に寄って配置されている。
【００９０】
上記の構成によれば、ヘアドライヤ３から吹き出された風のうち、よりイオンを高濃度で含む風を、第１の風路Ｐ１側へ導くことができる。これにより、吹き出し口２２ａおよび２２ｂから施術箇所へ向けて吹き出される風により多くのイオンを含ませることができる。
【００９１】
また、本実施形態のヘアケア装置１では、ヘアドライヤ３の温風発生部５１と、アタッチメント２の第２の風路Ｐ２とが、対応するように配置されている。すなわち、温風発生部５１と第２の風路Ｐ２とが、Ｙ２側に寄って配置されている。
【００９２】
上記の構成によれば、ヘアドライヤ３から吹き出された風のうち、より温度の高い風を、第２の風路Ｐ２側へ導くことができる。第２の風路Ｐ２を通る風は、本体部１１内で様々に方向を変え、最終的に周縁吹き出し口２３から施術箇所とは異なる場所へ吹き出される。このように、比較的温度の高い風は、施術箇所以外の場所へ吹き出される。また、第２の風路Ｐ２は、本体部１１内を迂回するように形成されている。そのため、第２の風路Ｐ２内を通過する風の温度は、周縁吹き出し口２３に到達するまでにある程度低下する傾向にある。
【００９３】
また、本実施形態のヘアケア装置１において、アタッチメント２の本体部１１内には、ヘアドライヤ３の吹き出し口５９からの正面視で、温風発生部５１の配置位置と少なくとも部分的に重なる位置に、湾曲板部３４が配置されている。湾曲板部３４が設けられていることで、温風発生部５１からアタッチメント２の本体部１１の内部に直接的に吹き込まれる温度の高い風は、湾曲板部３４によって遮断されて、吹き出し口２２ａおよび２２ｂからは吹き出されない。つまり、湾曲板部３４は、温風発生部５１からアタッチメント２の本体部１１の内部に直接吹き込まれる温度の高い風を受け止める風受けの役割を果たす。
【００９４】
上記の構成によれば、ヘアドライヤ３から吹き出される風のうち、比較的温度の低い風を優先的に第１の風路Ｐ１から吹き出し口２２ａおよび２２ｂへ吹き出すことができる。これにより、ヘアケア装置１の使用時の快適性が向上する。
【００９５】
また、本実施形態のヘアケア装置１では、イオン供給部５２は、ヘアドライヤ３の吹き出し口５９からの正面視で、アタッチメント２の湾曲板部３４の配置位置とは異なる位置（すなわち、湾曲板部３４の配置位置とは重ならない位置）に配置されていることが好ましい。これにより、ヘアドライヤ３から吹き出される風のうち、イオンを比較的高濃度で含む風を優先的に第１の風路Ｐ１から吹き出し口２２ａおよび２２ｂへ吹き出すことができる。これにより、施術箇所により多くのイオンを供給することができる。
【００９６】
（第１の実施形態のまとめ）
以上のように、本実施形態にかかるアタッチメント２は、ヘアドライヤ３に取り付けて用いられる。アタッチメント２は、本体部１１と、本体部１１から突出する突起部１２とを有している。本体部１１は、複数の吹き出し口（吹き出し口２２ａおよび２２ｂ、並びに周縁吹き出し口２３）を有する。また、本体部１１の内部には、流入口１８から各吹き出し口へと通じる風路（第１の風路Ｐ１および第２の風路Ｐ２）が形成されている。突起部１２は、施術箇所に接触する複数の接触部２１を有している。
【００９７】
本体部１１内の第１の風路Ｐ１は、ヘアドライヤ３からの風を吹き出し口２２ａおよび２２ｂへと導く。吹き出し口２２ａおよび２２ｂは、突起部１２の周囲に設けられている。したがって、吹き出し口２２ａおよび２２ｂからは、施術箇所へ直接向かう風が吹き出される。
【００９８】
本体部１１内の第２の風路Ｐ２は、ヘアドライヤ３からの風を周縁吹き出し口２３へと導く。周縁吹き出し口２３は、本体部１１の外周に配置されている。そのため、周縁吹き出し口２３から吹き出された風は、突起部１２からは離れた方向へ向かう。すなわち、周縁吹き出し口２３からは、施術箇所以外の場所へ向かう風が吹き出される。
【００９９】
以上のように、ヘアドライヤ３から吹き出された風は、本体部１１を通過することによって、その少なくとも一部が施術箇所とは異なる箇所へ向けて吹き出される。具体的には、周縁吹き出し口２３から吹き出される風は、施術箇所の周囲、または施術箇所の近傍に流れるように構成されている。
【０１００】
すなわち、本実施形態にかかるアタッチメント２によれば、ヘアドライヤ３の吹き出し口５９から流入口１８へ流入する風の一部が施術箇所へ向けて吹き出される。そのため、流入口１８へ流入する風の全量を施術箇所へ吹き出す場合と比較して、施術箇所へ吹き出す風の熱量を低くすることができる。したがって、アタッチメント２の接触部２１を頭皮など接触させてマッサージなどする場合に、ユーザが風を熱く感じることを抑えることができる。そのため、使用時の快適性が向上する。
【０１０１】
＜第２の実施形態＞
続いて、本発明の第２の実施形態について説明する。第１の実施形態では、イオン供給部５２を備えているヘアドライヤ３にアタッチメント２が取り付けられたヘアケア装置１を例に挙げて説明した。しかし、本発明の一態様にかかるアタッチメントは、イオン供給部を備えていないヘアドライヤに取り付けられてもよい。そこで、以下では、イオン供給部を備えていないヘアドライヤ１０３にアタッチメント２が取り付けられたヘアケア装置１０１を例に挙げて説明する。
【０１０２】
図１４には、第２の実施形態にかかるヘアケア装置１０１の内部構成を示す。図１４に示すように、ヘアケア装置１０１は、主として、アタッチメント（取付具）２と、ヘアドライヤ１０３とで構成されている。第１の実施形態と同様に、アタッチメント２は、ヘアドライヤ１０３の風の吹き出し口（送出口）５９に取り付けて使用される。
【０１０３】
アタッチメント２の構成については、第１の実施形態と同様の構成が適用できる。そのため、アタッチメント２の詳細な説明は省略する。図１４には、ヘアドライヤ１０３にアタッチメント２と取り付けた状態でのアタッチメント２の断面構成と、ヘアドライヤ１０３内部の概略構成を示す。
【０１０４】
ヘアドライヤ１０３の内部には、温風発生部５１などが備えられている。第１の実施形態と同様に、温風発生部５１は、ファン５４、ヒータ５３、および、モータ（図示せず）などを有している。なお、本実施形態にかかるヘアドライヤ１０３には、イオン供給部は備えられていない。イオン供給部が備えられていないこと以外は、ヘアドライヤ１０３の構成は、基本的に第１の実施形態のヘアドライヤ３と同じである。
【０１０５】
図１４では、説明の便宜上、図中の右へ向かう方向をＹ１方向と称し、図中左側へ向かう方向をＹ２方向と称する。
【０１０６】
第１の実施形態と同様に、アタッチメント２の本体部１１の内部は、第１の風路Ｐ１と第２の風路Ｐ２とに区画されている。図１４では、Ｙ１側に第１の風路Ｐ１が位置し、Ｙ２側に第２の風路Ｐ２が位置する。また、第２の風路Ｐ２の周縁吹き出し口２３は、Ｙ１側の端部に位置する。
【０１０７】
また、ヘアドライヤ１０３の内部には、上述したように、温風発生部５１が備えられている。図１４に示すように、温風発生部５１は、ヘアドライヤ１０３内部のＹ２側に寄って配置されている。
【０１０８】
温風発生部５１からは、吹き出し口５９の吹き出し面へ向けて略垂直に温風が吹き出される。なお、温風発生部５１から吹き出される温風の温度は、その配置位置に沿って、図１４に実線で示すような分布を示す。つまり、温風発生部５１の配置位置の略中央部に、温風の温度ピークがある。
【０１０９】
本実施形態のヘアケア装置１０１では、図１４に示すように、ヘアドライヤ１０３の温風発生部５１と、アタッチメント２の第２の風路Ｐ２とが、対応するように配置されている。すなわち、温風発生部５１と第２の風路Ｐ２とが、Ｙ２側に寄って配置されている。
【０１１０】
上記の構成によれば、ヘアドライヤ１０３から吹き出された風のうち、より温度の高い風を、第２の風路Ｐ２側へ導くことができる。第２の風路Ｐ２を通る風は、本体部１１内で様々に方向を変え、最終的に周縁吹き出し口２３から施術箇所とは異なる場所へ吹き出される。このように、比較的温度の高い風は、施術箇所以外の場所へ吹き出される。また、第２の風路Ｐ２は、本体部１１内を迂回するように形成されている。そのため、第２の風路Ｐ２内を通過する風の温度は、周縁吹き出し口２３に到達するまでにある程度低下する傾向にある。
【０１１１】
また、本実施形態のヘアケア装置１０１において、アタッチメント２の本体部１１内には、ヘアドライヤ１０３の吹き出し口５９からの正面視で、温風発生部５１の配置位置と少なくとも部分的に重なる位置に、湾曲板部３４が配置されている。湾曲板部３４が設けられていることで、温風発生部５１からアタッチメント２の本体部１１の内部に直接吹き込まれる温度の高い風は、湾曲板部３４によって遮断されて、吹き出し口２２ａおよび２２ｂからは吹き出されない。つまり、湾曲板部３４は、温風発生部５１からアタッチメント２の本体部１１の内部に直接吹き込まれる温度の高い風を受け止める風受けの役割を果たす。
【０１１２】
上記の構成によれば、ヘアドライヤ３から吹き出される風のうち、比較的温度の低い風（少なくとも第２の風路Ｐ２側へ送出される風よりも温度が低い風）を優先的に第１の風路Ｐ１から吹き出し口２２ａおよび２２ｂへ吹き出すことができる。これにより、ヘアケア装置１の使用時の快適性が向上する。
【０１１３】
＜第３の実施形態＞
続いて、本発明の第３の実施形態について説明する。上述した第１および第２の実施形態では、温風発生部５１全体がヘアドライヤ３またはヘアドライヤ１０３内部のＹ２側に寄って配置されていた。これに対して、第３の実施形態にかかるヘアケア装置２０１では、ヘアドライヤ２０３の温風発生部２５１の構成が異なっている。
【０１１４】
図１５には、第３の実施形態にかかるヘアケア装置２０１の内部構成を示す。図１５に示すように、ヘアケア装置２０１を構成するヘアドライヤ２０３は、温風発生部２５１を備えている。温風発生部２５１は、ヒータ２５３、ファン２５４、および、モータ（図示せず）などを有している。図１５に示すように、ファン２５４は、ヘアドライヤ２０３の中心に位置し、ヒータ２５３がＹ２側に寄って配置されている。これにより、温風の温度ピークをＹ２側に位置させることができる。
【０１１５】
これ以外の構成については、第１の実施形態と同様の構成が適用できる。また、本実施形態にかかる温風発生部２５１の構成を、第２の実施形態のヘアドライヤ１０３に適用してもよい。
【０１１６】
また、本実施形態の変形例として、ファン２５４がヘアドライヤ２０３の中心に位置し、ヒータ２５３のコイルの巻き方を、Ｙ２側を密に、Ｙ１側を粗にして、温風の温度ピークをＹ２側に位置させることもできる。
【０１１７】
また、温風発生部におけるヒータおよびファンの配置は、上述した構成に限定はされない。上述した構成では、ヒータの下流側にファンが位置しているが、別の構成として、例えば、ファンの下流側にヒータが配置されていてもよい。
【０１１８】
＜第４の実施形態＞
続いて、本発明の第４の実施形態について説明する。上述した第１および第２の実施形態では、縦長（略円柱状）のヘアドライヤにアタッチメント２を取り付けたヘアケア装置を例に挙げて説明した。しかし、これとは異なる形状のヘアドライヤに、本発明の一態様にかかる取付具（アタッチメント）を取り付けて使用することもできる。
【０１１９】
例えば、側面視で略Ｌ字形状または略Ｔ字形状のヘアドライヤの吹き出し口に、本発明の一態様にかかる取付具（アタッチメント）を取り付けて使用することもできる。より具体的には、本発明の一実施形態にかかるアタッチメントを、特許文献１（実用新案登録第３１８４９５５号公報）に示すような形状のヘアドライヤに取り付けて使用することもできる。
【０１２０】
したがって、側面視で略Ｌ字形状または略Ｔ字形状のヘアドライヤの吹き出し口に、上述したアタッチメント２を取り付けたヘアケア装置も本発明の一態様に含まれる。
【０１２１】
（まとめ）
本発明の一局面は、ヘアドライヤに取り付けられる取付具に関する。この取付具は、少なくとも一つの風の吹き出し口を有する本体部と、前記本体部から突出し、かつ、頭皮または毛髪の施術箇所に接触する少なくとも一つの接触部を有する突起部とを備えている。そして、前記本体部は、前記吹き出し口から吹き出される風の少なくとも一部を、前記施術箇所とは異なる箇所へ向けて吹き出すように構成されている。
【０１２２】
上記の本発明の一局面にかかる取付具において、前記施術箇所とは異なる箇所は、前記施術箇所の周囲、または前記施術箇所の近傍に位置してもよい。
【０１２３】
上記の本発明の一局面にかかる取付具において、前記本体部は、ヘアドライヤからの風が流入する流入口を有し、前記接触部側から前記本体部を見たときに、前記流入口は、前記本体部を構成する部材によって覆い隠されていてもよい。
【０１２４】
上記の本発明の一局面にかかる取付具において、複数個の前記吹き出し口は、前記突起部を間に挟んで両側にそれぞれ配置されていてもよい。
【０１２５】
上記の本発明の一局面にかかる取付具において、前記本体部は、略筒状の風路を有しており、前記風路の壁面は、風の方向に沿って湾曲していてもよい。また、前記本体部の略筒状の風路は、吹き出し口へ向かって拡張されるように構成されていてもよい。
【０１２６】
上記の本発明の一局面にかかる取付具では、複数個の前記接触部が、列状に並んで配置されており、前記本体部（具体的には、本体部の風路内）には、前記接触部の列の中央部から吹き出す風の量を低下させるための風量規制部が備えられていてもよい。
【０１２７】
本発明のもう一つの局面は、ヘアドライヤと、上記の何れかの取付具とを備えているヘアケア装置に関する。
【０１２８】
上記の本発明の一局面にかかるヘアケア装置において、前記ヘアドライヤは、温風発生部を有しており、前記取付具の本体部には、前記ヘアドライヤの送出口からの正面視で、前記温風発生部の配置位置と少なくとも部分的に重なる位置に、風受け部が配置されていてもよい。
【０１２９】
上記の本発明の一局面にかかるヘアケア装置において、前記ヘアドライヤは、帯電粒子発生装置を有しており、前記帯電粒子発生装置は、前記ヘアドライヤの送出口からの正面視で、前記取付具の風受け部の配置位置とは異なる位置に配置されていてもよい。
【０１３０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【０１３１】
１    ：ヘアケア装置
２    ：アタッチメント（取付具）
３    ：ヘアドライヤ
１１  ：本体部
１２  ：突起部
１３  ：筒状部材
１４  ：風路形成部材
１５  ：先端部材
１６  ：カバー部材
１８  ：流入口
２１  ：接触部
２２ａ：吹き出し口（第１の吹き出し口）
２２ｂ：吹き出し口（第１の吹き出し口）
２３  ：周縁吹き出し口（第２の吹き出し口）
３４  ：湾曲板部（風受け部）
３５  ：風量規制部
５１  ：温風発生部
５２  ：イオン供給部（帯電粒子発生装置）
１０１：ヘアケア装置
１０３：ヘアドライヤ
Ｐ１  ：第１の風路
Ｐ２  ：第２の風路
【図１】
2019030943.tif 000003
【図２】
2019030943.tif 000004
【図３】
2019030943.tif 000005
【図４】
2019030943.tif 000006
【図５】
2019030943.tif 000007
【図６】
2019030943.tif 000008
【図７】
2019030943.tif 000009
【図８】
2019030943.tif 000010
【図９】
2019030943.tif 000011
【図１０】
2019030943.tif 000012
【図１１】
2019030943.tif 000013
【図１２】
2019030943.tif 000014
【図１３】
2019030943.tif 000015
【図１４】
2019030943.tif 000016
【図１５】
2019030943.tif 000017
【国際調査報告】
2019030943.tif 000018
2019030943.tif 000019
2019030943.tif 000020
2019030943.tif 000021